(57)【要約】【課題】収納した物品の情報を、作業者が収納を行った時点で確認することができるようにする。【解決手段】物品収納確認装置は、物品ごとに付された当該物品の識別性を示すタグを検出するタグ検出手段と、検出された前記タグの物品を収納、又は取り出しによって、当該物品の収納状態を管理する収納管理手段と、前記物品の収納状態の変化に基づいて、前記収納状態をユーザに出力する収納状態出力手段とを備える。これにより、誤って物品を収納したり、或いは取り出したりしても、作業者やユーザは即座にその内容を知ることができるので、すぐに物品の収納先を確認したり、収納内容を容易に確認することができる。【選択図】図１
2007261740.tif 000002
【特許請求の範囲】
【請求項１】
物品ごとに付された当該物品の識別性を示すタグを検出するタグ検出手段と、
検出された前記タグの物品を収納、又は取り出しによって、当該物品の収納状態を管理する収納管理手段と、
前記物品の収納状態の変化に基づいて、前記収納状態をユーザに出力する収納状態出力手段と、
を備えたことを特徴とする物品収納確認装置。
【請求項２】
前記物品の収納、又は取り出す予定を登録する物品登録予定手段を更に備えたことを特徴とする請求項１に記載の物品収納確認装置。
【請求項３】
前記物品登録予定手段は、
登録された前記予定と、現在の前記物品の収納状態とを照合する収納予定照合手段を更に備え、
当該照合した照合結果を、前記収納状態出力手段によってユーザに出力することを特徴とする請求項２に記載の物品収納確認装置。
【請求項４】
前記収納状態に変化があった場合には、前記収納状態出力手段が画面出力、又は音声出力によって、リアルタイムに前記収納状態を前記ユーザに出力することを特徴とする請求項１乃至３のいずれか１項に記載の物品収納確認装置。
【請求項５】
物品ごとに付された当該物品の識別性を示すタグを検出するタグ検出ステップと、
検出された前記タグの物品を収納、又は取り出しによって、当該物品の収納状態を管理する収納管理ステップと、
前記物品の収納状態の変化に基づいて、前記収納状態をユーザに出力する収納状態出力ステップと、
を備えたことを特徴とする物品収納確認方法。
【請求項６】
前記物品の収納、又は取り出す予定を登録する物品登録予定ステップを更に備えたことを特徴とする請求項５に記載の物品収納確認方法。
【請求項７】
前記物品登録予定ステップは、
登録された前記予定と、現在の前記物品の収納状態とを照合する収納予定照合ステップを更に備え、
当該照合した照合結果を、前記収納状態出力ステップによってユーザに出力することを特徴とする請求項６に記載の物品収納確認方法。
【請求項８】
前記収納状態に変化があった場合には、前記収納状態出力手段が画面出力、又は音声出力によって、リアルタイムに前記収納状態を前記ユーザに出力することを特徴とする請求項５乃至７のいずれか１項に記載の物品収納確認方法。
【請求項９】
請求項５乃至８のいずれか１項に記載の方法をコンピュータに行わせるための物品収納確認プログラム。
【発明の詳細な説明】
【技術分野】
【０００１】
本発明は、収納した物品の情報を作業者が収納を行った時点で確認できる物品収納確認装置、物品収納確認方法、及び物品収納確認プログラムに関する。
【背景技術】
【０００２】
従来から、作業者が書類や書籍など物品を収納棚に収納する際に、その収納位置が正しい場所であるか否かについて、その場でシステム的に確認することができないという問題があった。
【０００３】
また、複数の書類を同時に収納する際に、何枚収納したのか、作業者はその場ではすぐに確実に確認することができないという問題もあった。
【０００４】
特に重要度の高い書類や物品の収納管理においては、不正な収納を収納作業時点で作業者に即座に通知することが望まれている。
【０００５】
そこで、例えば、図書館などの書類毎に固有のＩＣタグを貼り付けて、ＩＣタグＲＷを内蔵した書類棚に格納したことをリアルタイムで検知する書籍管理システムが、特開２００５−１８２３５２号公報に記載されている。
【０００６】
この書籍管理システムでは、書籍の出し入れの履歴を、棚とは別のクライアントシステムで確認を行い、参照時間や回数を分析して書籍毎の消耗具合や人気統計情報を表示するようになっている。
【特許文献１】特開２００５−１８２３５２号公報
【発明の開示】
【発明が解決しようとする課題】
【０００７】
しかしながら、この従来の書籍管理システムでは、書籍を書棚に収納する作業者が何の書籍をどこに何冊収納したのかをその場で確認することができず、検知された書籍が収納されるべき正しい場所であり、かつ収納されるべき冊数であるかの結果について、クライアントシステムで別途確認しなければならないという欠点があった。
【０００８】
特に雑誌などの薄い書籍を数十冊まとめて収納する場合は、作業者自身がその場で予定した冊数を格納完了したことが確認できず、システム側の検知数と作業者側の認識数を収納時点で一致させることができないという課題があった。
【０００９】
本発明は、上記事実に鑑みてなされたものであり、収納した物品の情報を、作業者が収納を行った時点で確認できる物品収納確認装置および物品収納確認方法を提供することを目的としている。
【課題を解決するための手段】
【００１０】
本発明に係る物品収納確認装置は、物品ごとに付された当該物品の識別性を示すタグを検出するタグ検出手段と、検出された前記タグの物品を収納、又は取り出しによって、当該物品の収納状態を管理する収納管理手段と、前記物品の収納状態の変化に基づいて、前記収納状態をユーザに出力する収納状態出力手段とを備えたことを特徴とする。
【００１１】
また本発明に係る物品収納確認装置は、前記物品の収納、又は取り出す予定を登録する物品登録予定手段を更に備えるようにしても良い。
【００１２】
また本発明に係る物品収納確認装置は、前記物品登録予定手段が、登録された前記予定と、現在の前記物品の収納状態とを照合する収納予定照合手段を更に備え、当該照合した照合結果を、前記収納状態出力手段によってユーザに出力するようにしても良い。
【００１３】
また本発明に係る物品収納確認装置は、前記収納状態に変化があった場合には、前記収納状態出力手段が画面出力、又は音声出力によって、リアルタイムに前記収納状態を前記ユーザに出力するようにしても良い。
【００１４】
本発明に係る物品収納確認方法は、物品ごとに付された当該物品の識別性を示すタグを検出するタグ検出ステップと、検出された前記タグの物品を収納、又は取り出しによって、当該物品の収納状態を管理する収納管理ステップと、前記物品の収納状態の変化に基づいて、前記収納状態をユーザに出力する収納状態出力ステップとを備えたことを特徴とする。
【００１５】
また本発明に係る物品収納確認方法は、前記物品の収納、又は取り出す予定を登録する物品登録予定ステップを更に備えるようにしても良い。
【００１６】
また本発明に係る物品収納確認方法は、前記物品登録予定ステップが、登録された前記予定と、現在の前記物品の収納状態とを照合する収納予定照合ステップを更に備え、当該照合した照合結果を、前記収納状態出力ステップによってユーザに出力するようにしても良い。
【００１７】
また本発明に係る物品収納確認方法は、前記収納状態に変化があった場合には、前記収納状態出力手段が画面出力、又は音声出力によって、リアルタイムに前記収納状態を前記ユーザに出力するようにしても良い。
【００１８】
また本発明に係る物品収納確認プログラムは、上記方法をコンピュータに行わせるようにしても良い。
【発明の効果】
【００１９】
本発明によれば、物品に付されたタグを検出することより、物品が収納された状態をユーザに即座に知らせることができる。
【００２０】
これによりユーザが、誤って物品を収納したり、或いは取り出したりしても、ユーザは即座にその内容を知ることができるので、すぐに物品の収納先を確認したり、物品の中身を容易に確認することができる。
【発明を実施するための最良の形態】
【００２１】
以下、本発明の実施の形態について、図面を用いて詳細に説明する。
（第１の実施の形態）
図１では、本発明による実施の形態として、物品収納確認装置の構成を示す概略図である。図１に示す物品収納確認装置は、収納装置１００と、外部出力装置５と、管理端末６と、管理データベース７とを備えている。
【００２２】
また、収納装置１００と管理端末６と外部出力装置５とは、ネットワーク２００を介して相互に接続されている。
【００２３】
収納装置１００は、物品１と、物品２と、物品３と、ＩＣ(Integrated circuit)タグａと、ＩＣタグｂと、ＩＣタグｃと、ＩＣタグＲＷ（Read Write）４とを収容している。
【００２４】
ＩＣタグaからｃは、それぞれ物品１から３に識別用としてユニークなＩＤ(Identification)を含む形で貼り付けられたＲＦＩＦ(Radio Frequency Interface)タグであり、収納装置１００に収納される全ての物品に同様に貼り付けられている。
【００２５】
ＩＣタグＲＷ４は、ＲＦ(Radio Frequency)ＩＤタグのリーダであり、収納装置１００に収容される形で設置されている。またＩＣタグＲＷ４は、物品１から３が収納された時点で即座にそのＩＣタグａからｃを読み込み、そのユニークなＩＤをネットワーク２００を介して管理端末６に送信する機能を備えている。
【００２６】
外部出力装置５は、収納装置の近くに設置されており、物品の収納情報を映像や音声などで知覚的に作業者に通知する機能を備えている。
【００２７】
図２を参照すると管理端末６は、サーバー等の情報処理装置であり、ネットワーク２００を介してＩＣタグＲＷ４が取得したＩＣタグのユニークなＩＤ情報を受け取り、管理データベース７にリアルタイムに書き込む収納実績登録機能６ａを備えている。
【００２８】
また、管理端末６は、作業者が物品を収納する前に、収納予定している物品情報を管理データベース７に登録する収納予定登録機能６ｂを備えている。
【００２９】
また、管理端末６は、前記収納実績登録機能６ａと収納予定登録機能６ｂからそれぞれ管理データベース７に登録された情報を照合することにより、収納予定と収納実績の照合結果を、ネットワーク２００を介して外部出力装置５に出力する収納照合機能６ｃを備えている。
【００３０】
これにより、作業者は事前に収納を予定していた物品が、正しく収納装置１００に収納できたかを映像や音声でその場で確認することができる。
【００３１】
管理データベース７は、管理端末６に接続されており（図１参照、管理データベース７は内蔵されていても良い。）、収納実績登録機能６ａからの登録内容である収納実績ＤＢ７ａと、収納予定登録機能６ｂからの登録内容である収納予定ＤＢ７ｂを格納している。
【００３２】
収納実績ＤＢ７ａは、作業者が実際に収納した物品の情報、例えば物品毎のユニークＩＤとそれに紐付けられた物品名、収納状態、収納場所、データの更新日時が記録されている。
【００３３】
収納予定ＤＢ７ｂは、作業者による収納を予定している物品の情報、例えば物品ごとのユニークＩＤとそれに紐付けられた物品名、収納場所、収納予定日時が記録されている。
【００３４】
次に、図１から図６を参照して、本実施の形態の動作について詳細に説明する。
【００３５】
まず前提条件として、収納装置１００には、すでに物品２と、物品４と、物品５とが既に収納されていることとする。この時、収納実績ＤＢ７ａには、管理端末６の収納実績登録機能６ａ（図２参照）を使って、物品２、物品４、物品５が「収納」状態で登録されている（図３参照）。また、物品１と物品３は、収納装置１００に収納されておらず、「持出」状態で登録されている（図３参照）。
【００３６】
ここで、作業者が、物品１と物品３を収納装置１００に収納するまでのフローを図４を用いて説明する。
【００３７】
まず作業者は、管理端末６の収納予定登録機能６ａ（図２参照）を使って、物品１と物品３を収納する場所と日時を、収納予定ＤＢ７ｂに登録する（ステップＡ１、図５参照）。
【００３８】
収納予定日時は、入力した日時から１時間以内に収納するなどのルールを決めることができるようになっている。なお、特に予定日時を指定しなくて、すでに管理端末６に登録されている収納実績ＤＢ７ａを見ることにより、作業者は、収納されている状態をいつでも確認することができるようになっている。
【００３９】
次に作業者は物品１と物品３を収納装置１００に収納すると（ステップＡ２）、収納装置１００に収容されているＩＣタグＲＷ４は、物品１のＩＣタグａと物品３のＩＣタグｃをリアルタイムに自動で読み取り、ネットワーク２００を介して管理端末６にそれぞれのＩＣタグから読み取ったユニークなＩＤ情報を送信する（ステップＡ３）。
【００４０】
管理端末６は、受け取ったＩＤを収納実績として収納実績ＤＢａに書き込み、物品１と物品３の状態を「持出」から「収納」に変更する（ステップＡ４）。
【００４１】
同時に管理端末６は、収納照合機能６ｃ（図２参照）を使って、受け取ったＩＤが収納予定ＤＢ７ｂに登録されているＩＤと同じであるか、つまり予定していた物品が予定していた日時と場所に収納されたかの照合を行い（ステップＡ５）、ネットワーク２００を介して外部出力装置５にその結果を通知する（ステップＡ６）。
【００４２】
外部出力装置５は、受け取った照合結果を出力し（ステップＡ７）、作業者はその情報を受けて正しく物品が収納されたことを確認する。
【００４３】
ここで外部出力装置５は、ディスプレイ５ａ、ランプ５ｂの点灯、スピーカ５ｃからの音声、プリンタ５ｄからの印刷やそれらの組み合わせなどが使えるようになっている（図６参照）。
【００４４】
ここで収納実績ＤＢ７ａや収納予定ＤＢ７ｂに登録する情報は、ユニークＩＤ以外は任意の項目を入力でき、収納予定と収納実績の照合のルールも任意の設定を行うことができる。また、収納対象の物品も本実施例のように３個に限定されるものではなく、任意の数量を自由に設定し、使用することができる。
【００４５】
このように、物品毎に貼り付けたＩＣタグを活用することで、物品が収納されたことをリアルタイムに検知することができる。また、それを元に収納を予定していた物品と、実際に収納された物品の情報を比較を行い、作業者に収納直後にその結果を通知することができる。
【００４６】
これにより、作業者が誤って物品を収納してもすぐにその内容を知ることができ、その場で物品を入れ直すなどの修正を行うことができるので、特に収納する物品の個数が多い場合や、書類単位などの細かい物品保管管理を行う際には、作業効率の向上と収納ミスの軽減に効果がある。
【００４７】
さらに、物品のレンタル事業で本発明を活用すれば、レンタルをした消費者が自ら指定された場所にレンタル品を返却する用途にも使え、セルフサービスによる人件費の削減を行うことができる。
（第２の実施の形態）
次に、本発明の他の実施の形態について説明する。
【００４８】
第２の実施の形態においては、管理端末６および管理データベース７を構成から外し、ＩＣタグＲＷ４で物品情報を読み取った際（ステップＡ３）に、直接外部出力にその内容を出力する点で前述した第１の実施の形態と異なる。
【００４９】
第２の実施の形態では、作業者が物品を収納装置に収納した際に、先述の第１の実施の形態のように収納予定と収納実績を突合せる必要がなく、単に収納された物品のＩＤや数などＩＣタグＲＷ４で読み込んだＩＣタグの情報だけから導き出される内容を、外部出力装置５に出力することで十分な場合に有効である。
【００５０】
例えば薄い書類４０枚をまとめて書棚に保管する場合、各書類に貼り付けられたＩＣタグをＩＣタグＲＷ４で自動で読み込み、瞬時にディスプレイに「４０枚収納」や棚の収納可能枚数から逆算して「残り２５枚収納可能」という出力を行うことにより、作業者は、収納作業を効率化することができる。
【００５１】
また外部出力装置５を、収納装置１００に収容させることで、外部のネットワーク１００を経由する必要がなくなり、物品の収納から結果の通知までのリアルタイム性を向上させることができる。
（第３の実施の形態）
次に、本発明のさらに第３の実施の形態について説明する。
【００５２】
第３の実施の形態においては、物品を収納装置１００に収納するのではなく、収納装置１００から取り出した際にその内容を、外部出力装置５に出力する点で前述した実施の形態と異なる。
【００５３】
第３の実施の形態では、管理データベース７内に収納予定ＤＢ７ｂに対して取出予定ＤＢ７ｃを作成し、ステップＡ１の段階で作業者が取り出す予定の物品情報を登録する。また、ステップＡ２の段階で物品を収納装置１００から取り出し、ステップＡ３の段階でＩＣタグＲＷ４が作業者によって取り出されて認識できなくなった物品のＩＣタグを検出する。
【００５４】
その後の動作は、前述した収納における過程と同様に、予定と実績の照合結果を外部出力装置５に出力する。
【００５５】
これにより、収納装置１００から不正に物品が取り出されていないかをその場で確認することができる。
【００５６】
なお、本発明にかかる物品収納確認装置は、収納装置１００と、外部出力装置５と、管理端末６と、管理データベース７とのハードウェアによって構成されていたが、本発明はこれに限らず、ソフトウェアによって本発明を実現してもよく、またこれらを組み合わせて実現するようにしてもよい。
【図面の簡単な説明】
【００５７】
【図１】本発明の第１の実施の形態による物品収納確認装置の概略図である。
【図２】本発明の第１の実施の形態による管理端末の概略図である。
【図３】本発明の第１の実施の形態による収納実績登録機能の一例である。
【図４】本発明の第１の実施の形態による物品を収納するフローチャートである。
【図５】本発明の第１の実施の形態による収納予定登録機能の一例である。
【図６】本発明の第１の実施の形態による外部出力装置の一例である。
【符号の説明】
【００５８】
１  物品
２  物品
３  物品
４  ＩＣタグＲＷ
５  外部出力装置
５ａ  ディスプレイ
５ｂ  ランプ
５ｃ  スピーカ
５ｄ  プリンタ
６  管理端末
６ａ  収納実績登録機能
６ｂ  収納予定登録機能
６ｃ  収納照合機能
７  管理データベース
７ａ  収納実績ＤＢ
７ｂ  収納予定ＤＢ
１００  収納装置
２００  ネットワーク
【図１】
2007261740.tif 000003
【図２】
2007261740.tif 000004
【図３】
2007261740.tif 000005
【図４】
2007261740.tif 000006
【図５】
2007261740.tif 000007
【図６】
2007261740.tif 000008